(57)【要約】【課題】シールを貼着することで装飾が可能であり、様々な機種の携帯端末を縦置き、横置きの双方で保持できる汎用的な携帯端末スタンドを提供する。【解決手段】携帯端末の底部を載置する載置部４及び背面を支持する背板部２と、脚部３によって携帯端末スタンド１を構成し、背板部２の上端側にシールを貼着可能なシール貼着部２１と、当該シール貼着部２１下端側にシール脱着孔２３を設ける。【選択図】図１
0003174580.tif 000002
【実用新案登録請求の範囲】
【請求項１】
携帯端末の底部を載置する載置部及び背面を支持する背板部と、該背板部を所定の角度で支持する脚部を有し、シールを貼着して装飾可能な携帯端末スタンドであって、
前記背板部は、前記携帯端末背面を支持するとともに前記シールを貼着可能なシール貼着部を備え、該シール貼着部の下端側にシール着脱孔を有することを特徴とする、携帯端末スタンド。
【請求項２】
前記所定の角度は、前記携帯端末スタンドを載置する被載置面に対して４０度〜５０度のいずれかである、請求項１記載の携帯端末スタンド。
【請求項３】
前記脚部は、略矩形状の脚本体部と、該脚本体部の一方の短辺に設けた平面視上向き略コ字状の係合部から構成され、
前記背板部は、該背板部に係合部を挿嵌する係合孔を有し、
脚部は、係合部を係合孔に背面から挿嵌して背板部に係合するとともに、係合部先端を背面部の前面に突出させ、該係合部の突出部分によって前記載置部が構成されることを特徴とする、請求項１又は２に記載の携帯端末スタンド。
【請求項４】
前記係合部は前記背板部と直交する角度で係合されることを特徴とする、請求項３記載の携帯端末スタンド。
【考案の詳細な説明】
【技術分野】
【０００１】
本考案は、シールを貼着して装飾可能な携帯端末スタンドに関するものである。
【背景技術】
【０００２】
従来から、携帯電話やスマートフォン、或いは携帯デジタル音楽プレイヤー等（以下、携帯端末という）を保持する携帯端末スタンドとして、例えば特許文献１のスタンドが知られている。このスタンドはいわゆるクレードル型スタンドとして知られ、保持する携帯端末の形状に合わせた専用品として提供されることが通常である。
【０００３】
また、特定の機種にとらわれない汎用のスタンドとして、例えば特許文献２のスタンドも知られている。このスタンドは支持板と保持枠をヒンジで接続したもので、保持枠に収まる大きさの携帯端末であれば機種を問わずに保持できるものである。
【０００４】
近年の携帯端末としてはいわゆるスマートフォンと呼ばれる、大型のタッチパネル液晶画面を備え、縦置き、横置きの双方の使用形態に対応するものが普及している。また、従来型の携帯電話であっても、テレビ受信機能を備えたものは画面を横置きで使用することにより、画面全体にテレビ映像を表示できるものも存在している。
そして、近年ではこれらの携帯端末を目的に応じて複数台所有する生活様式も散見されるようになっている。
しかし、従来の携帯端末スタンドはこれらの多様化する携帯端末に対応できるものではなく、複数台の携帯端末を所有する生活様式に対応することができないという問題があった。
【０００５】
一方で、携帯端末スタンドのようないわゆる文房具類は、企業の販促用、宣伝用のグッズとして提供されることも多いのが実情である。この場合には、提供するスタンドが特定機種の専用品であることは望ましくないため、もっぱら特許文献２のような汎用のスタンドが提供される。この時、提供される文房具類には装飾が施されるのが一般であるが、従来のスタンドは装飾を施すことができる面積が小さく、十分な装飾効果を得られないという問題が生じていた。さらには、販促・宣伝用のグッズとして提供するために低い製造コストでさまざまな装飾を施せるスタンドが望まれていた。
【先行技術文献】
【特許文献】
【０００６】
【特許文献１】特開２００３−３０９６３７号公報
【特許文献２】特開２００４−６５８５４号公報
【考案の概要】
【考案が解決しようとする課題】
【０００７】
本考案は前述の状況に着目し、シールを貼着することで装飾が可能であり、様々な機種の携帯端末を縦置き、横置きの双方で保持できる汎用的な携帯端末スタンドを提供することを、その課題とするものである。
【課題を解決するための手段】
【０００８】
上記課題を解決することを目的としてなされた本考案は、携帯端末の底部を載置する載置部及び背面を支持する背板部と、該背板部を所定の角度で支持する脚部を有し、シールを貼着して装飾可能な携帯端末スタンドであって、前記背板部は、前記携帯端末背面を支持するとともに前記シールを貼着可能な平面視略矩形状のシール貼着部を備え、該シール貼着部の下端側にシール着脱孔を有することを特徴としている。
【０００９】
本考案における前記所定の角度は、前記携帯端末スタンドを載置する被載置面に対して４０度〜５０度のいずれかとすることが望ましい。
【００１０】
また、前記脚部は、略矩形状の脚本体部と、該脚本体部の一方の短辺に設けた平面視上向き略コ字状の係合部から構成され、前記背板部は、該背板部に係合部を挿嵌する係合孔を有し、脚部は、係合部を係合孔に背面から挿嵌して背板部に係合するとともに、係合部先端を背面部の前面に突出させ、該係合部の突出部分によって前記載置部が構成されると好適である。
【００１１】
本考案においては、前記係合部が前記背板本体部と直交する角度で係合されてもよい。
【考案の効果】
【００１２】
本考案の携帯端末スタンドでは、載置部と背板部によって携帯端末を保持するので、特定の機種にとらわれずに汎用的に様々な携帯端末を縦置き、横置きの双方で保持することができる。
また、背板部に設けたシール貼着部に装飾用シールを貼着することで、様々な装飾を施すことができ、シール脱着孔によってシールの張替えを容易に行うことができる。
【図面の簡単な説明】
【００１３】
【図１】本考案の一例を示す斜視図である。
【図２】本考案の一例において、シールを貼着した使用態様を示す側面図である。
【図３】本考案の一例における背板部及び脚部の平面図であり、（ａ）は同背板部の平面図、（ｂ）は同脚部の平面図である。
【考案を実施するための形態】
【００１４】
以下、本考案の実施形態の一例を、図面を参照して説明する。
本考案実施例の携帯端末スタンド１は、図１及び図２で示すように、背板部２と、脚部３から構成される。本実施例における背板部２１と脚部３はいずれも２ｍｍ厚の樹脂製平板状部材である。
【００１５】
背板部２は、図３（ａ）で示すように、当該背板部２の平面視上端側に位置する平面視略矩形状のシール貼着部２１と、背板部２の下端側に位置する背板脚部２２からなる。
【００１６】
シール貼着部２１は、背板部２の平面視上端側に設けた略矩形状の部位である。本実施例では背板部２を平板状の部材としており、シール貼着部２１も平面側が後述のシール４を貼着するために平滑面となっている。また、本実施例では３．５〜４．５インチ程度の液晶画面を備えるスマートフォンを載置した際に当該スマートフォンの筐体によってシール貼着部２１の略全面が覆われるよう、高さを１２０ｍｍ、幅を６５ｍｍとしている。
また、シール貼着部２１の下端側には平面視略矩形状のシール脱着孔２３が設けられている。
【００１７】
背板脚部２２は、背板部２の平面視下端側の部位であり、下端側に略矩形状の切欠きを有し、全体として下向き略コ字状に形成されている。これにより、携帯端末スタンド１を卓上等の被載置面６に載置した際に当該背板脚部２２下端が左右方向両端の２点で被載置面６に当接するように形成されている。
また、背板脚部２２の上端には、後述の係合部３２を挿嵌するために左右一対の係合孔２４が設けられている。この係合孔２４は略矩形状の孔であり、係合部３２における突出部分の基端側断面と略同一形状に形成されている。
【００１８】
脚部３は、背板部２を被載置面６に対して所定の角度αで保持するための部材である。図３（ｂ）で示すように、被載置面５と当接する脚本体部３１と、脚部３と背板部２を係合するための係合部３２から構成される樹脂製の平板状部材であるが、図２で示すように、側面視において脚本体部３１と係合部３２が角度を設けて連結されるように湾曲して形成されている。
【００１９】
脚本体部３１は脚部３の平面視上端側の部位であり、略矩形状に形成されている。また、脚本体部３１の上端には円弧上の切欠きを有し、携帯端末スタンド１を載置する際には脚本体部３１上端が左右方向両端の２点で被載置面６に当接するように形成されている。
【００２０】
係合部３２は脚部３の平面視下端側の部位であり、左右両端及び中央下端側を切欠いて左右一対の突出部分を設けた下向き略コ字状に形成されている。また、係合部３２における突出部分の中央側先端はテーパ状に形成され、該突出部分の基端側断面は係合孔２４と略同一形状となっている。
【００２１】
本実施例の携帯端末スタンド１は図１及び図２に示すように、脚部３の係合部３２を背板部２の係合孔２４に背面から挿嵌して組み合わせることにより構成されるものである。係合孔２４に挿嵌された係合部３２は係合孔２４から背板部２の前面方向に突出し、当該突出した部分が載置部４を構成する。
この携帯端末スタンド１に携帯端末を載置する際には、携帯端末の底部を載置部４に載置し、背面をシール貼着部２１で支持することで当該携帯端末が保持される。このように、携帯端末は平板形状のシール貼着部２１と、同じく平板形状の載置部４によって保持されるので、特定の機種にとらわれることなく、様々な機種を汎用的に保持することができ、また携帯端末を縦置きとすることも、横置きとすることも可能である。
また、背板部２と脚部３はいずれも平板状部材であることにより、不使用時や運搬時には携帯端末スタンド１を背板部２と脚部３に分解することで、コンパクトでかさばらないものとすることができる。
さらに、通常、携帯端末の操作は当該端末前面のキーやタッチパネルによっておこなわれるが、本実施例の携帯端末スタンド１には携帯端末前面を塞ぐ部材が存在しないことにより、携帯端末スタンド１に当該端末を載置した状態でも操作性を損なうことがない。
【００２２】
本実施例の携帯端末スタンド１は、係合部３２の突出部分の基端部側断面と係合孔２４を略同一形状とすることで背板部２と脚部３を略直交させる角度に維持している。脚部３は脚本体部３１と係合部３２が角度を設けて連結するよう湾曲した形状としており、背板部２が載置面６に対して４０度〜５０度の角度を維持するように構成されている。これにより、携帯端末スタンド１をテーブル等に載置した際に、使用者が椅子に腰かけていても、立ち上がっていても、携帯端末を見やすい角度で保持することができる。
また、上記の構成により、係合部３２の先端側で構成される載置部４も、被載置面６に対して先端が上向きとなる。携帯端末を保持する際には、当該載置部４がストッパーとして機能し、携帯端末の転落を効果的に防止することができる。
【００２３】
本実施例の携帯端末スタンド１が保持する携帯端末には、底面中央付近に充電用・データ転送用のコネクタが備わるものが数多く存在するが、載置部４を構成する係合部３２の平面視上端側の中央に切欠きを設けて左右一対の構成となっていることにより、携帯端末に充電器等のプラグを挿入した状態でこれを保持することができる。また、背板部２の背板脚部２２の下端側中央にも切欠きが設けられており、充電用等の配線コードをこの切欠きから背面側に取回すことができる。
【００２４】
本実施例の携帯端末スタンド１は、背板部２にシール貼着部２１が設けられており、図１で示すように、このシール貼着部２１にシール５を貼着することができる。
これにより、携帯端末スタンド１の外観を装飾したい場合には、装飾のデザイン毎にシール５を用意すれば足り、デザイン毎に背板部２や脚部３を作り分ける必要がないので、低い製造コストでさまざまなデザインの携帯端末スタンドを提供することができる。
また、背板部２は平板状の部材であり、また左右対称な形状となっている。これにより、裏返すことで前面と背面の両面にシール５を貼着することができる。
【００２５】
また、シール５の貼着面に再剥離可能な素材を使用する等により、利用者の嗜好に合わせてシール４を交換することで適宜携帯端末１の外観を変更することができる。
この際に、シール貼着部２１の下端にはシール脱着孔２４が設けられており、当該シール脱着孔２４の開口部分においてシール４はシール貼着部２１に貼着されていない状態となる。したがって、シール５を交換等のために剥がす際には、当該貼着されていない箇所からシール５を容易に剥がすことができる。
【００２６】
前述のとおり、携帯端末スタンドのようないわゆる文房具類は、販促用・宣伝用グッズとして提供されることが想定できるが、例えば販促用グッズとして本実施例の携帯端末スタンド１を提供する場合には、数か月毎や季節毎のように所定の期間毎に新たな装飾を施したシール５を提供することで、携帯端末スタンド１自体を再度提供する必要がない。
長期間の販促等を行うに際して、一度提供した携帯端末スタンド１を利用しながらシール５のみ新たに提供すればよいので、販促用グッズを低コストで提供することができる。
【００２７】
なお、本考案の構成は上記実施形態に限られるものではない。例えば、本実施例では背板部２及び脚部３を樹脂製の平板状部材としているが、素材は金属でも合紙でも良く、また透明でも彩色されていてもよい。厚みも本実施例では２ｍｍ厚としているが３ｍｍでも良く、材質や大きさ等にあわせて適宜設計することができる。
また、シール脱着孔２４は略矩形状としているが、略円形状としてもよい。
その他の具体的構成についても、本実施例の形態に限られるものではなく、本考案の趣旨を逸脱しない範囲でさまざまな変更が可能である。
【符号の説明】
【００２８】
１    携帯端末スタンド
２    背板部
２１  シール貼着部
２２  背板脚部
２３  シール着脱孔
２４  係合孔
３    脚部
３１  脚本体部
３２  係合部
４    載置部
５    シール
６    被載置面
【図１】
0003174580.tif 000003
【図２】
0003174580.tif 000004
【図３】
0003174580.tif 000005